(57)【要約】【課題】肌に対する質感に優れ、且つ、汚れ除去効果も高い微細石鹸泡にて洗顔等を行うことができる洗面台を提供する。【解決手段】洗面台１０は、湯水及び石鹸の合流する集合配管２７と、集合配管２７で合流した湯水及び石鹸並びに空気を混合して微細石鹸泡を発生する微細石鹸泡発生装置３２と、微細石鹸泡発生装置３２で発生した微細石鹸泡が供給されて、該微細石鹸泡を洗面ボール１１に吐出可能な吐水部１２とを備える。【選択図】図１
2010051712.tif 000002
【特許請求の範囲】
【請求項１】
洗面ボールと、
湯水及び石鹸の合流する合流部と、
前記合流部で合流した湯水及び石鹸並びに空気を混合して微細石鹸泡を発生する微細石鹸泡発生装置と、
前記微細石鹸泡発生装置で発生した微細石鹸泡が供給されて、該微細石鹸泡を前記洗面ボールに吐出可能な吐出部とを備えたことを特徴とする洗面台。
【請求項２】
請求項１に記載の洗面台において、
前記微細石鹸泡発生装置には、外部の空気を取り込む空気供給ポンプが接続され、
該空気供給ポンプから供給された空気を混合して微細石鹸泡を発生することを特徴とする洗面台。
【請求項３】
請求項１又は２に記載の洗面台において、
前記合流部の上流側に配置され、上水道から供給される水及び給湯器から供給される湯の混合比を調整して前記合流部に供給する温度制御弁を備えたことを特徴とする洗面台。
【発明の詳細な説明】
【技術分野】
【０００１】
本発明は、洗面台に関するものである。
【背景技術】
【０００２】
従来、顔や手を洗う洗面ボールを備えた洗面台として種々のものが提案されている。例えば特許文献１に記載の洗面台では、通常の水とは異なる白濁した温泉水のような外観の微細気泡入り貯留水で洗顔していることを視覚的に確認しつつ、貯留水に含有された微細気泡による汚れ除去効果の高い洗顔を行うことができて、使用感も汚れ除去効果も高い洗顔を可能にしている。
【０００３】
また、特許文献２に記載の洗面台では、内部に配設された複数の液剤貯留タンクに互いに異なる種類の液剤（石鹸）がそれぞれ貯留されており、複数種類の液剤を洗面ボールに臨む液剤供給ノズルに選択的に供給することを可能にしている。
【特許文献１】特開２００７−８９７０７号公報
【特許文献２】特開２００６−１４９８１９号公報
【発明の開示】
【発明が解決しようとする課題】
【０００４】
ところで、特許文献１の洗面台では、白濁した微細気泡入りの水を利用して、微細気泡が破裂する力（マイナス帯電）で汚れ（プラス帯電）を落とすが、泥（帯電していないもの）などの汚れは落としにくい。
【０００５】
また、特許文献２の洗面台では、液剤供給ノズルから汚れを落とすための液剤が自動で出てくるが、該液剤（石鹸）を原液のままで使わなければならない。このため、肌に直接原液が触れることになって、肌に与える刺激が強くなる。
【０００６】
本発明の目的は、肌に対する質感に優れ、且つ、汚れ除去効果も高い微細石鹸泡にて洗顔等を行うことができる洗面台を提供することにある。
【課題を解決するための手段】
【０００７】
上記問題点を解決するために、請求項１に記載の発明は、洗面ボールと、湯水及び石鹸の合流する合流部と、前記合流部で合流した湯水及び石鹸並びに空気を混合して微細石鹸泡を発生する微細石鹸泡発生装置と、前記微細石鹸泡発生装置で発生した微細石鹸泡が供給されて、該微細石鹸泡を前記洗面ボールに吐出可能な吐出部とを備えたことを要旨とする。
【０００８】
請求項２に記載の発明は、請求項１に記載の洗面台において、前記微細石鹸泡発生装置には、外部の空気を取り込む空気供給ポンプが接続され、該空気供給ポンプから供給された空気を混合して微細石鹸泡を発生することを要旨とする。
【０００９】
上記各構成によれば、前記吐出部から前記洗面ボールに微細石鹸泡（湯泡又は水泡）が吐出可能であることで、ユーザは、該微細石鹸泡にて、肌に対する質感に優れ、且つ、汚れ除去効果も高い洗顔等を行うことができる。
【００１０】
なお、湯水とは、上水道などの水供給部から供給される水、給湯器などの湯供給部から供給される湯、あるいはこれらの混合された温水を含む概念とする。
請求項３に記載の発明は、請求項１又は２に記載の洗面台において、前記合流部の上流側に配置され、上水道から供給される水及び給湯器から供給される湯の混合比を調整して前記合流部に供給する温度制御弁を備えたことを要旨とする。
【００１１】
同構成によれば、前記温度制御弁により調整された水及び湯の混合比に応じた温度の湯水が前記合流部に供給される。従って、前記微細石鹸泡発生装置では、前記温度制御弁により温度調整された湯水にて、微細石鹸泡（湯泡又は水泡）を発生することができる。
【発明の効果】
【００１２】
本発明では、肌に対する質感に優れ、且つ、汚れ除去効果も高い微細石鹸泡にて洗顔等を行うことができる洗面台を提供することができる。
【発明を実施するための最良の形態】
【００１３】
以下、本発明を具体化した一実施形態を図面に従って説明する。
図１は、本実施形態に係る洗面台を示す水回路図である。同図に示されるように、この洗面台１０は、顔や手を洗う洗面ボール１１を備えるとともに、該洗面ボール１１の後縁部に配置されて洗面ボール１１に湯水（湯又は水）及び微細石鹸泡（湯泡又は水泡）を選択的に吐出可能な吐出部としての吐水部１２を備える。そして、吐水部１２には、吐水水量や吐水温度を操作するためのレバー状の吐水操作部１２ａが設けられている。吐水部１２は、吐水操作部１２ａの操作量に応じた吐水水量及び吐水温度の湯水又は微細石鹸泡をその開口部１２ｂから吐出する。なお、本実施形態の吐水部１２（開口部１２ｂ）は、吐水の形態が単一の棒状の流れからなる棒状流である通常のカランで構成されているが、吐水の形態が多数の線状の流れからなるシャワー流となるシャワーヘッドや、該シャワー流と棒状流とが切換可能なシャワーヘッドで構成されてもよい。
【００１４】
洗面台１０は、上水道に給水用配管２１を介して一方の入口が接続されるとともに、給湯器に給湯用配管２２を介して他方の入口が接続された温度制御弁としての湯水混合弁２３を備える。湯水混合弁２３は、上水道からの水及び給湯器からの湯の混合比を調整してこれらを混合し、前記吐水操作部１２ａの操作量に応じた吐水温度の湯水（温水）を生成する。
【００１５】
湯水混合弁２３の出口は、配管２４を介して流量調整弁２５に接続されるとともに、該流量調整弁２５は、配管２６を介して合流部としてのＴ字状の集合配管２７の一方の入口に接続されている。流量調整弁２５は、電磁弁で構成されており、前記吐水操作部１２ａの操作量に応じた吐水水量の湯水を集合配管２７の一方の入口に供給する。つまり、集合配管２７の一方の入口に供給される湯水の吐水水量は、流量調整弁２５にて調整・制御される。
【００１６】
集合配管２７の他方の入口は、液剤配管２８を介して石鹸流量調整弁２９に接続されるとともに、該石鹸流量調整弁２９は、液剤からなる石鹸の原液を貯留するタンク３０に接続されている。石鹸流量調整弁２９は、電磁弁で構成されており、前記吐水操作部１２ａの操作量に応じた吐出量の石鹸を集合配管２７の他方の入口に供給する。つまり、集合配管２７の他方の入口に供給される石鹸の吐出量は、石鹸流量調整弁２９にて調整・制御される。
【００１７】
なお、集合配管２７の出口は、配管３１を介して微細石鹸泡発生装置３２の一方の吸入口３２ａに接続されている。従って、流量調整弁２５により吐水水量の調整された湯水は、配管３１を介して微細石鹸泡発生装置３２に供給される。そして、集合配管２７に石鹸が供給されている場合には、該集合配管２７において合流・混入した石鹸も併せて微細石鹸泡発生装置３２に供給される。この際、集合配管２７では、配管２６からの湯水の勢い等で該湯水への石鹸の溶解が促進されて、いわゆる石鹸水（以下、「石鹸混合湯水」ともいう）が生成される。
【００１８】
前記微細石鹸泡発生装置３２は、他方の吸入口３２ｂが空気配管３３を介して空気供給ポンプ（空気圧縮機）３４に接続されている。空気供給ポンプ３４は、駆動時には外部の空気を取り込んでこれを圧縮し、微細石鹸泡発生装置３２の他方の吸入口３２ｂに供給する。なお、空気配管３３には、液体（湯水、石鹸混合湯水）の逆流を防止するための逆止弁３５が設けられている。
【００１９】
微細石鹸泡発生装置３２は、集合配管２７に石鹸が供給されておらず、空気供給ポンプ３４も駆動されていない状態では、集合配管２７等を介した配管２６からの湯水をそのままその吐出口３２ｃから吐出する。一方、微細石鹸泡発生装置３２は、集合配管２７に石鹸が供給されており、空気供給ポンプ３４も駆動されている状態では、配管３１を介した集合配管２７からの石鹸水及び空気配管３３を介した空気供給ポンプ３４からの圧縮空気を混合等して、例えば泡径２００μｍ以下の微細石鹸泡（湯泡又は水泡）を生成するとともに、該微細石鹸泡をその吐出口３２ｃから吐出する。
【００２０】
微細石鹸泡発生装置３２の吐出口３２ｃは、配管３６を介して前記吐水部１２に接続されている。これにより、吐水部１２は、配管３６を介した微細石鹸泡発生装置３２からの湯水又は微細石鹸泡を洗面ボール１１に吐出する。吐水部１２へと繋がる水回路の各部材（微細石鹸泡発生装置３２等）は、基本的に洗面ボール１１の下側に形成される洗面台１０の収容空間に配置されている。
【００２１】
なお、吐水部１２には、吐水操作部１２ａの操作量（押量、回動量）を検知するためのセンサ４１が設けられている。また、洗面台１０には、微細石鹸泡の使用を選択するための操作スイッチ４２が外部に露出する態様で設けられている。つまり、ユーザは、操作スイッチ４２を直接操作することで、微細石鹸泡の使用を選択する。さらに、給水用配管２１には、上水道の水温Ｔｃを検知するための温度センサ４３が設けられるとともに、給湯用配管２２には、給湯器の湯温Ｔｈを検知するための温度センサ４４が設けられ、更に配管２４には、湯水混合弁２３で生成した湯水の温度Ｔｗを検知するための温度センサ４５が設けられている。
【００２２】
これらセンサ４１、操作スイッチ４２及び温度センサ４２〜４５は、制御部４６に電気的に接続されている。制御部４６は、これらセンサ４１、操作スイッチ４２及び温度センサ４２〜４５の検知結果に基づいて、湯水混合弁２３、流量調整弁２５、石鹸流量調整弁２９、微細石鹸泡発生装置３２、空気供給ポンプ３４を駆動制御する。
【００２３】
例えば、制御部４６は、温度センサ４５に検知された温度Ｔｗ及びセンサ４１に検知された吐水操作部１２ａの回動量に基づいて、該回動量に相当する吐水温度に温度Ｔｗを一致させるべく湯水混合弁２３を駆動制御する。あるいは、制御部４６は、センサ４１に検知された吐水操作部１２ａの押量に基づいて、該押量に応じた吐水水量の湯水を集合配管２７に供給するべく流量調整弁２５を駆動制御する。特に、操作スイッチ４２がオンのとき、制御部４６は、センサ４１に検知された吐水操作部１２ａの押量に基づいて、該押量に応じた吐出量の石鹸を集合配管２７に供給するべく石鹸流量調整弁２９を駆動制御するとともに、前記空気供給ポンプ３４を駆動（オン）する。なお、本実施形態では、基本的に流量調整弁２５は常時開状態に、石鹸流量調整弁２９は常時閉状態に設定されている。
【００２４】
図２は、前記微細石鹸泡発生装置３２を示す縦断面図である。同図に示されるように、この微細石鹸泡発生装置３２は、前記吸入口３２ａ，３２ｂ及び吐出口３２ｃの連通する内部空間を形成するケーシング５１と、該ケーシング５１の内部空間に回転自在に収容されるインペラー５２と、該インペラー５２を回転駆動する電動モータ５３とを備えて構成されている。そして、ケーシング５１及びインペラー５２間には、吸入口３２ａ，３２ｂに連通する中央部から中心線方向に交互に折り返しつつ外周側に変位するとともに、中心線方向に交互に折り返しつつ吐出口３２ｃに連通する中央部へと変位する混合室Ｃが形成されている。微細石鹸泡発生装置３２は、吸入口３２ａ，３２ｂを通じて混合室Ｃ内に導入される石鹸水及び圧縮空気を、インペラー５２の回転により混合等して微細石鹸泡を発生し、該微細石鹸泡を吐出口３２ｃから吐出する。なお、微細石鹸泡発生装置３２は、操作スイッチ４２がオフのとき、インペラー５２の回転・非回転に関わらず、吸入口３２ａを通じて混合室Ｃ内に導入される湯水をそのまま吐出口３２ｃから吐出する。
【００２５】
次に、吐水部１２から湯水又は微細石鹸泡を吐出する際の制御部４６の制御態様について図３のフローチャートに従って説明する。この処理は、定時割り込みにより繰り返し実行される。図３に示されるように、この制御が開始されると、先ず、操作スイッチ４２がオンかオフかが判断される（Ｓ（ステップ）１）。操作スイッチ４２がオンのとき、流量調整弁２５が開状態にされるとともに、石鹸流量調整弁２９が開状態にされる（Ｓ２）。そして、空気供給ポンプ３４が駆動（オン）される（Ｓ３）。
【００２６】
続いて、吐水操作部１２ａの開閉状態が判断される（Ｓ４）。そして、吐水操作部１２ａが開状態のとき、吐水温度がチェックされる（Ｓ５）。具体的には、吐水操作部１２ａの回動量に相当する吐水温度と水温Ｔｃとの大小関係（高低）が判断される。このとき、吐水温度が水温Ｔｃよりも高いと、吐水温度が温度Ｔｗに一致するように湯水混合弁２３が駆動される（Ｓ６）。同時に、吐水操作部１２ａの押量に応じた吐水水量及び吐出量になるように流量調整弁２５及び石鹸流量調整弁２９がそれぞれ駆動され、微細石鹸泡発生装置３２を介して吐水部１２から湯泡が供給される（Ｓ７）。
【００２７】
なお、Ｓ４で吐水操作部１２ａが閉状態と判断されると、吐水部１２からはなにも出ない（Ｓ８）。また、Ｓ５で吐水操作部１２ａの回動量に相当する吐水温度が水温Ｔｃよりも低いと判断されると、上水道からの水のみが流れるように湯水混合弁２３が駆動される（Ｓ９）。同時に、吐水操作部１２ａの押量に応じた吐水水量及び吐出量になるように流量調整弁２５及び石鹸流量調整弁２９がそれぞれ駆動され、微細石鹸泡発生装置３２を介して吐水部１２から水泡が供給される（Ｓ１０）。
【００２８】
一方、Ｓ１で操作スイッチ４２がオフと判断されると、流量調整弁２５が開状態にされるとともに、石鹸流量調整弁２９が閉状態にされる（Ｓ１１）。そして、空気供給ポンプ３４が駆動停止（オフ）される（Ｓ１２）。
【００２９】
続いて、吐水操作部１２ａの開閉状態が判断される（Ｓ１３）。そして、吐水操作部１２ａが開状態のとき、前述の吐水温度がチェックされる（Ｓ１４）。このとき、吐水温度が水温Ｔｃよりも高いと、吐水温度が温度Ｔｗに一致するように湯水混合弁２３が駆動される（Ｓ１５）。同時に、吐水操作部１２ａの押量に応じた吐水水量になるように流量調整弁２５が駆動され、吐水部１２から湯（温水）が供給される（Ｓ１６）。
【００３０】
なお、Ｓ１３で吐水操作部１２ａが閉状態と判断されると、吐水部１２からはなにも出ない（Ｓ１７）。また、Ｓ１４で吐水操作部１２ａの回動量に相当する吐水温度が水温Ｔｃよりも低いと判断されると、上水道からの水のみが流れるように湯水混合弁２３が駆動される（Ｓ１８）。同時に、吐水操作部１２ａの押量に応じた吐水水量になるように流量調整弁２５が駆動され、吐水部１２から水が供給される（Ｓ１９）。
【００３１】
以上により、吐水操作部１２ａ及び操作スイッチ４２の操作に応じて吐水部１２から湯水又は微細石鹸泡が吐出される。
次に、吐水操作部１２ａ及び操作スイッチ４２の操作に応じて吐水部１２から湯水又は微細石鹸泡が吐出されるまでの手順について図４の説明図に従って説明する。同図に示されるように、先ず、吐水操作部１２ａの操作により、その押量に応じた吐水水量Ｑｗ及び回動量に応じた吐水温度Ｔ１が設定される（Ｐ（プロセス）１）。続いて、水温Ｔｃ及び湯温Ｔｈが検出される（Ｐ２）。そして、水温Ｔｃよりも設定された吐水温度Ｔ１が高いとき、温度Ｔｗが吐水温度Ｔ１に基づく調整温度Ｔ２になるように湯水混合弁２３が調整される（Ｐ３）。なお、この調整温度Ｔ２は、操作スイッチ４２がオフのときには吐水温度Ｔ１に一致しており、操作スイッチ４２がオンのときには吐水温度Ｔ１＋α（α＞０）になる。この補正値αは、石鹸の供給に伴う温度低下分を吸収するためのものである。
【００３２】
次に、集合配管２７に送られる湯水の流量が吐水水量Ｑｗになるように流量調整弁２５が調整される（Ｐ４）。そして、調整された流量で集合配管２７に湯水が送られる（Ｐ５）。
【００３３】
このとき、操作スイッチ４２が操作されていると（Ｐ６）、吐水操作部１２ａの押量に応じた石鹸の吐出量Ｑｆが設定され（Ｐ７）、更に集合配管２７に送られる石鹸の流量が吐出量Ｑｆになるように石鹸流量調整弁２９が調整される（Ｐ８）。そして、調整された流量で集合配管２７に石鹸が送られる（Ｐ５）。従って、集合配管２７では、合流した湯水と石鹸とが混ざって石鹸水（石鹸混合湯水）が生成される。
【００３４】
続いて、集合配管２７からの湯水又は石鹸混合湯水は、水道圧で微細石鹸泡発生装置３２（吸入口３２ａ）に送られる（Ｐ９）。
このとき、操作スイッチ４２が操作されていると（Ｐ６）、空気供給ポンプ３４が駆動される（Ｐ１０）。そして、微細石鹸泡発生装置３２（吸入口３２ｂ）に圧縮空気が送られる（Ｐ９）。従って、微細石鹸泡発生装置３２では、導入される石鹸混合湯水及び圧縮空気を混合等して微細石鹸泡が発生される。
【００３５】
そして、微細石鹸泡発生装置３２からの湯水又は微細石鹸泡が、吐水部１２から吐出される（Ｐ１１）。
以上詳述したように、本実施形態によれば、以下に示す効果が得られるようになる。
【００３６】
（１）本実施形態では、吐水部１２から洗面ボール１１に微細石鹸泡（湯泡又は水泡）が吐出可能であることで、ユーザは、該微細石鹸泡にて、肌に対する質感に優れ、且つ、汚れ除去効果も高い洗顔等を行うことができる。特に、泥などの汚れも好適に除去することができる。また、ユーザは、微細石鹸泡を利用した洗顔等により、肌水分量の低下を抑制することができる。
【００３７】
（２）本実施形態では、湯水混合弁２３により調整された水及び湯の混合比に応じた温度の湯水が集合配管２７に供給される。従って、微細石鹸泡発生装置３２では、湯水混合弁２３により温度調整された湯水にて、微細石鹸泡（湯泡又は水泡）を発生することができる。
【００３８】
（３）本実施形態では、吐水部１２は、微細石鹸泡（湯泡又は水泡）を吐出する吐出部として兼用されることで、例えばこれら吐水部及び吐出部を個別に配設する場合に比べて配置スペースを削減することができる。これにより、吐水部１２をより大型化することができ、その分、使い勝手を向上することができる。また、部品点数を削減することができ、ひいてはコストを削減することができる。また、吐水部１２から微細石鹸泡が得られることで、洗面ボール１１上に石鹸（固形石鹸など）を置く必要性もなくなる。
【００３９】
（４）本実施形態では、流量調整弁２５により調整された流量の湯水が集合配管２７に供給される。従って、微細石鹸泡発生装置３２では、流量調整弁２５により流量調整された湯水にて、微細石鹸泡（湯泡又は水泡）を発生することができる。
【００４０】
（５）本実施形態では、ユーザは、操作スイッチ４２の操作で微細石鹸泡を自動的に得ることができ、また、石鹸も泡化していることでその濃度を薄くすることができる。
（６）本実施形態では、洗顔時等に微細石鹸泡を含む湯（湯泡）を使用することができるため、ぬるま湯で毛穴を開かせる効果と同等の効果が得られる。そのため、手間なく効果的な洗浄を行うことができ、且つ、使用する水量を少なくできる。
【００４１】
（７）本実施形態では、ユーザは、操作スイッチ４２の操作・非操作を選択することで、湯水又は微細石鹸泡を得ることができる。
（８）本実施形態では、タンク３０に貯留する石鹸の種類を変更することで、ユーザにお気に入りの微細石鹸泡を使用することができる。
【００４２】
（９）本実施形態では、可動式の微細石鹸泡発生装置３２で微細石鹸泡を生成することで、例えばメッシュなどを利用して石鹸泡を生成する場合のような目詰まりの発生を抑制することができる。
【００４３】
なお、上記実施形態は以下のように変更してもよい。
・前記実施形態において、集合配管２７に汎用の固形石鹸を注入するようにしてもよい。この場合、ユーザは、洗浄効果を落とすことなく、お気に入りの固形石鹸で微細石鹸泡を使用することができる。
【００４４】
・前記実施形態において、タンク３０に汎用の栄養素を併せ注入するようにしてもよい。この場合、ユーザは、微細化した泡に栄養素を混入することで、肌に栄養素を注入することができる。
【００４５】
・前記実施形態において、タンク３０内の石鹸を液剤配管２８に供給するための電動ポンプなどを設けてもよい。
・前記実施形態において、集合配管２７に、合流した湯水及び石鹸の混合を促進するための適宜の攪拌手段（羽根車など）を設けてもよい。
【００４６】
・前記実施形態において、逆止弁３５に代えて、空気の流量を調整可能な弁（空気流量調整弁）を採用してもよい。この場合、制御部４６は、空気供給ポンプ３４をオン・オフ制御するとともに、これに連動して空気流量調整弁を駆動制御して空気の流量を調整する。
【００４７】
・前記実施形態において、吐水操作部１２ａの操作に応じて設定される湯の吐水温度は、一定温度（例えば４０°Ｃ）であってもよい。この場合、吐水操作部１２ａは、その操作によって湯又は水を選択するものであって、制御部４６は、当該一定温度の湯になるように前記湯水混合弁２３を駆動制御する。
【００４８】
・前記実施形態において、微細石鹸泡を吐出する吐出部は、吐水部１２とは別に設けてもよい。この場合、吐出部の操作（温度調整、流量調整）に連動して湯水混合弁２３や流量調整弁２５、石鹸流量調整弁２９、微細石鹸泡発生装置３２、空気供給ポンプ３４を自動的に駆動させればよい。なお、これら吐出部及び吐水部１２で、その上流側の構成（水回路）を共用する場合には、これら吐出部及び吐水部１２間で流路を切替制御するための切替弁を設ければよい。
【００４９】
・前記実施形態において、制御部４６にタイマーを設けて、例えば操作スイッチ４２のオフ操作を忘れた場合であっても、一定時間が経過することで微細石鹸泡の発生を停止させるようにしてもよい。
【００５０】
次に、上記実施形態及び別例から把握できる技術的思想について以下に追記する。
・請求項３に記載の洗面台において、
前記合流部及び前記温度制御弁間に配置され、該温度制御弁により混合比の調整された湯水の流量を調整して前記合流部に供給する流量制御弁を備えたことを特徴とする洗面台。同構成によれば、前記流量制御弁により調整された流量の湯水が前記合流部に供給される。従って、前記微細石鹸泡発生装置では、前記流量制御弁により流量調整された湯水にて、微細石鹸泡（湯泡又は水泡）を発生することができる。
【図面の簡単な説明】
【００５１】
【図１】本発明の一実施形態を示す水回路図。
【図２】微細石鹸泡発生装置を示す縦断面図。
【図３】同実施形態の制御態様を示すフローチャート。
【図４】同実施形態の手順を示す説明図。
【符号の説明】
【００５２】
１０…洗面台、１１…洗面ボール、１２…吐水部（吐出部）、２３…湯水混合弁（温度制御弁）、２７…集合配管（合流部）、３２…微細石鹸泡発生装置、３４…空気供給ポンプ。
【図１】
2010051712.tif 000003
【図２】
2010051712.tif 000004
【図３】
2010051712.tif 000005
【図４】
2010051712.tif 000006